(57)【要約】      （修正有）【課題】軸部の飛出長さを長くし回転工具のがた付きをなくした回転工具用ソケットを提供する。【解決手段】ソケット部材１の軸方向の後方端部１ｂに開口状嵌合部３を、開口状嵌合部３より軸方向にして、ソケット部材１の稍中央部に中空孔部４を延設し、中空孔部４と同軸方向の前方端部１ａとの間のソケット部材１に、軸部２の一端部が嵌着する縦断面が円形状の軸嵌着孔部５とそれより内径が大きい縦断面が円形状の大径状軸嵌挿孔部６を前方端部１ａに向けて順次延設し、軸部２を大径状軸嵌挿孔部６から軸嵌着孔部５の内側側面部５ａに軸部２の外周角部２ａが喰込むように嵌挿し、軸部２を軸嵌着孔部５に嵌着固定して大径状軸嵌挿孔部６に嵌挿する軸部２をソケット部材１の前方端部１ａを外側方よりがたつかない程度に押圧し固定せしめ、軸部２と大径状軸嵌挿孔部６間に軸部２の外周角部２ａが接触しない幅員の間隙部７を形成した。【選択図】図２
0003142159.tif 000002
【実用新案登録請求の範囲】
【請求項１】
ソケット部材と前記ソケット部材に嵌着固定せしめる軸部とからなる回転工具用ソケットにおいて、
前記ソケット部材の軸方向の後方端部に開口状嵌合部を、前記開口状嵌合部より軸方向にして、且ソケット部材の稍中央部に中空孔部を延設し、前記中空孔部と同軸方向の前方端部との間の前記ソケット部材に、前記軸部の一端部が嵌着する縦断面が円形状の軸嵌着孔部と、前記軸嵌着孔部より内径が大きい縦断面が円形状の大径状軸嵌挿孔部を前方端部に向けて順次延設し、前記軸部を前記大径状軸嵌挿孔部から前記軸嵌着孔部の内側側面部に前記軸部の外周角部が喰込むようにして嵌挿し、前記軸部を前記軸嵌着孔部に嵌着固定すると共に、前記大径状軸嵌挿孔部に嵌挿する前記軸部を前記ソケット部材の前方端部を外側方よりがたつかない程度に押圧し、固定せしめ、前記軸部と前記大径状軸嵌挿孔部との間に、前記軸部の外周角部が接触しない幅員の間隙部を形成せしめることを特徴とする回転工具用ソケット。
【請求項２】
前記軸嵌着孔部に嵌挿する前記軸部は、６角形状とすることを特徴とする請求項１に記載の回転工具用ソケット。
【請求項３】
前記間隙部は前記大径状軸嵌挿部と前記軸部の外周角部との間は均一幅員であることを特徴とする請求項１又は同２に記載の回転工具用ソケット。
【考案の詳細な説明】
【技術分野】
【０００１】
本考案は、回転工具用ソケットの分野に関するものである。
【背景技術】
【０００２】
従来、回転工具用ソケットとして、特開２００６−１７５５２３公開特許公報（Ａ）が開示されているが、この回転工具用ソケットは、軸部材（２）が嵌着固定する軸部嵌着孔（１ａ）の径を先端と後端で変化させ前記軸部材（２）を前記軸部嵌着孔（１ａ）に嵌着固定していた。
【０００３】
そのため、前記軸部材（２）の嵌着固定後の締め代が、前記軸部嵌着孔（１ａ）の後端側では小さく、先端側では大きくなるように設定して嵌着固定される。
【０００４】
従って、前記軸部材（２）を嵌着固定する軸部嵌着孔（１ａ）の長さが、短くなるので、回転作業時に折損しやすくなるおそれがあった。
【０００５】
さらに、前記開示の公開特許公報（Ａ）の回転工具用ソケットの前記軸部材（２）は、前記軸部嵌着孔（１ａ）の後端側は小さく、先端側では大きく締め代が形成しているので、工具の回転作業中に、ソケットがぶれるおそれがあった。
【０００６】
また、前記開示の公開特許公報（Ａ）の回転工具用ソケットは、前記軸部材（２）を嵌着固定するのに、締め代を考慮すると、前記軸部材（２）の嵌着部分の長さが長くなり、そのため前記ソケット部材（１）から突出する長さは短くなって、折損しやすい欠点がある。
【特許文献１】特開２００６−１７５５２３公開特許公報（Ａ）
【考案の開示】
【考案が解決しようとする課題】
【０００７】
しかるに、本考案が解決しようとする課題は、ソケット部材内の軸嵌着孔部と大径状軸嵌着孔部に嵌挿する軸部の嵌着固定する部位を、前記軸嵌着孔部と前記大径状軸嵌着孔部の中、前記軸嵌着孔部とし、さらに前記ソケット部材の前方端部の外側部を隙間がない程度に押圧し前記軸部を固定して、軸部の飛出長さを長くすると共に回転工具のがた付きをなくした。
【０００８】
さらに、本考案の回転工具用ソケットは、前記軸部の嵌着固定部位を前記軸嵌着孔部と、前記ソケット部材の前方端部の外側部との２個所としたので、回転工具の作業中において、ぶれ現象を未然に防止すると共に、前記したぶれを止めることによってソケットの軸部が金属疲労を起し折損したりしないようにした。
【０００９】
また、本考案は、前記軸嵌孔部に嵌着固定する軸部の外側面と前記大径状軸嵌着孔部との間に、所定幅員の空隙部を形成せしめて、回転工具の耐久性を著増せしめた。
【課題を解決するための手段】
【００１０】
課題を解決するための手段として、請求項１記載の考案は、ソケット部材１と前記ソケット部材１に嵌着固定せしめる軸部２とからなる回転工具用ソケットａにおいて、前記ソケット部材１の軸方向の後方端部１ｂに開口状嵌合部３を、前記開口状嵌合部３より軸方向にして、且ソケット部材１の稍中央部に中空孔部４を延設し、前記中空孔部４と同軸方向の前方端部１ａとの間の前記ソケット部材１に、前記軸部２の一端部が嵌着する縦断面が円形状の軸嵌着孔部５と、前記軸嵌着孔部５より内径が大きい縦断面が円形状の大径状軸嵌挿孔部６を前方端部１ａに向けて順次延設し、前記軸部２を前記大径状軸嵌挿孔部６から前記軸嵌着孔部５の内側側面部５ａに前記軸部２の外周角部２ａが喰込むようにして嵌挿し、前記軸部２を前記軸嵌着孔部５に嵌着固定すると共に、前記大径状軸嵌挿孔部６に嵌挿する前記軸部２を前記ソケット部材１の前方端部１ａを外側方よりがたつかない程度に押圧し、固定せしめ、前記軸部２と前記大径状軸嵌挿孔部６との間に、前記軸部２の外周角部２ａが接触しない幅員の間隙部７を形成せしめる回転工具用ソケットである。
【００１１】
課題を解決するための手段として、請求項２記載の考案は、前記軸嵌着孔部５に嵌挿する前記軸部２は、６角形状とする回転工具用ソケットである。
【００１２】
課題を解決するための手段として、請求項３記載の考案は、前記間隙部７は前記大径状軸嵌挿部６と前記軸部２の外周角部２ａとの間は均一幅員である回転工具用ソケットである。
【考案の効果】
【００１３】
請求項１記載の考案は、ソケット部材１と前記ソケット部材１に嵌着固定せしめる軸部２とからなる回転工具用ソケットａにおいて、前記ソケット部材１の軸方向の後方端部１ｂに開口状嵌合部３を、前記開口状嵌合部３より軸方向にして、且ソケット部材１の稍中央部に中空孔部４を延設し、前記中空孔部４と同軸方向の前方端部１ａとの間の前記ソケット部材１に、前記軸部２の一端部が嵌着する縦断面が円形状の軸嵌着孔部５と、前記軸嵌着孔部５より内径が大きい縦断面が円形状の大径状軸嵌挿孔部６を前方端部１ａに向けて順次延設し、前記軸部２を前記大径状軸嵌挿孔部６から前記軸嵌着孔部５の内側側面部５ａに前記軸部２の外周角部２ａが喰込むようにして嵌挿し、前記軸部２を前記軸嵌着孔部５に嵌着固定すると共に、前記大径状軸嵌挿孔部６に嵌挿する前記軸部２を前記ソケット部材１の前方端部１ａを外側方よりがたつかない程度に押圧し、固定せしめ、前記軸部２と前記大径状軸嵌挿孔部６との間に、前記軸部２の外周角部２ａが接触しない幅員の間隙部７を形成せしめる回転工具用ソケットなので、軸部の外周部２ａが嵌挿着孔部５の内側面部５ａに喰込んで固着し、且前記ソケット部材１の前方端部１ａによってがた付かない程度に押圧固着せしめられ、そのため前記軸部２の突出部分が長くなり、挿入中の軸部２が作業時にぶれ現象を起したりしない利点を有している。
【００１４】
さらに、本考案は、前記軸部を前記ソケット部材の端部より長く突設したので、回転作業中に折損のおそれを解消せしめる利点がある。
【００１５】
請求項２記載の考案は、前記軸嵌着孔部５に嵌挿する前記軸部２は、６角形状とする回転工具用ソケットなので、前記請求項１記載の考案の効果と同じ効果を有している。
【００１６】
請求項３記載の考案は、前記間隙部７は前記大径状軸嵌挿部６と前記軸部２の外周角部２ａとの間は均一幅員である回転工具用ソケットなので、前記請求項１又は同２記載の考案の効果と同じ効果を有している。
【考案を実施するための最良の形態】
【００１７】
本考案の請求項１〜３記載の考案に関する実施の形態は共通しているので、以下のとおり一括して説明する。
【００１８】
図において、ａは本考案の回転工具用ソケットであり、以下の構成からなっている。
【００１９】
１はソケット部材であり、これに軸部２を所定の長さだけ嵌着固定せしめて回転工具用ソケットａを形成する。
【００２０】
前記ソケット部材１の軸方向の後方端部１ｂに開口状嵌合部３を形成する。そして前記開口状嵌合部３より軸方向にして、且ソケット部材１の稍中央部に中空孔部４を延設する。                              
【００２１】
さらに、前記中空孔部４と軸方向の前記ソケット部材１の前方ソケット部材１の前方端部１ａとの間に、前記軸部２の一端部が嵌着する縦断面が円形状の軸嵌着孔部５と前記軸嵌着孔部５より内径が大きい大径状軸嵌挿孔部６を順次延設する。
【００２２】
そして、前記軸部２を前記軸部２の外周角部２ａが喰込むように前記軸着孔部５の内側面部５ａに嵌着固定する。
【００２３】
さらに、前記軸着部５と前記大径状軸嵌挿孔部６に嵌挿した前記軸部２を、前記ソケット部材１の前方端部ａを外側方よりがた付かない程度に押圧し固着し組立てる。
【００２４】
前記の固着せしめる部位を固定部１ｃとする。
【００２５】
本考案は、前記以外に前記軸嵌着孔部５と前記大径状軸嵌着孔部６との間に、前記軸部２の外周部と前記大径状軸嵌着孔部６とが接触しない幅員を有する間隙部７が形成されている。
【００２６】
さらに、軸嵌着孔部５に嵌挿する前記軸部２は、角軸形状とし、前記軸嵌着孔部５及び前記大径状軸嵌着孔部６の縦断面は、円形状とする。
【００２７】
ｂは本考案のソケットａを取付ける回転工具である。
【図面の簡単な説明】
【００２８】
【図１】本考案回転工具用ソケット工具と、同ソケット工具を取着した一部切欠回転工具の正面図である。
【００２９】
【図２】同ソケットの縦断正面図である。
【００３０】
【図３】図２におけるＡ〜Ａ線断面図である。
【００３１】
【図４】図２におけるＢ〜Ｂ線断面図である。
【００３２】
【図５】図２におけるＣ〜Ｃ線断面図である。
【符号の説明】
【００３３】
ａ      回転工具用ソケット
ｂ      回転工具
１      ソケット部材
１ａ    前方端部
１ｂ    後方端部
１ｃ    固定部
２      軸部
２ａ    外周角部
３      開口状嵌合部
４      中空孔部
５      軸嵌着孔部
５ａ    内側面部
６      大径状軸嵌着孔部
７      間隙部
【図１】
0003142159.tif 000003
【図２】
0003142159.tif 000004
【図３】
0003142159.tif 000005
【図４】
0003142159.tif 000006
【図５】
0003142159.tif 000007